(57)【要約】【課題】照射チャンネル側の不要信号が、観測チャンネル側のＮＭＲ信号に混入してＮＭＲ信号の純度を劣化させるのを、未然に防止することができるＮＭＲ装置を提供する。【解決手段】複数の送受信回路の中から選ばれた１つの送受信回路の前置増幅器が、検出器において検出されたＮＭＲ信号を送受信切替器を介して受け取っている時間帯には、他の送受信回路の前置増幅器のバイアス電圧または電源電圧を低く設定し、前置増幅器をブランキング状態または停止状態にするように構成した。また、複数の送受信回路の中から選ばれた１つの送受信回路の前置増幅器が、検出器において検出されたＮＭＲ信号を送受信切替器を介して受け取っている時間帯には、他の送受信回路の前置増幅器の入力側または出力側を遮断するようにした。【選択図】　図４
2004028720.tif 000002
【特許請求の範囲】
【請求項１】
高周波パルスを出力する電力増幅器と、
電力増幅器のパルス出力を受けて試料に高周波磁界パルスを印加すると共に、試料から放射されるＮＭＲ信号を検出する検出器と、
検出器で検出されたＮＭＲ信号を受信する受信器と、
電力増幅器から高周波パルスが出力される時間帯には、電力増幅器と検出器との間を接続し、検出器と受信器との間、および電力増幅器と受信器との間を遮断すると共に、試料からＮＭＲ信号が放射される時間帯には、検出器と受信器との間を接続し、電力増幅器と検出器との間、および電力増幅器と受信器との間を遮断する送受信切替器と、
検出器において検出されたＮＭＲ信号を、送受信切替器を介して受け取り、増幅して後段の受信器に送る前置増幅器と
を備えた複数の送受信回路の中から、任意の１つの送受信回路を選んで、試料のＮＭＲ信号を観測するようにしたＮＭＲ装置において、
前記選ばれた１つの送受信回路の前置増幅器が、検出器において検出されたＮＭＲ信号を送受信切替器を介して受け取っている時間帯には、他の送受信回路の前置増幅器のバイアス電圧または電源電圧を低く設定し、前置増幅器をブランキング状態または停止状態にするように構成したことを特徴とするＮＭＲ装置。
【請求項２】
高周波パルスを出力する電力増幅器と、
電力増幅器のパルス出力を受けて試料に高周波磁界パルスを印加すると共に、試料から放射されるＮＭＲ信号を検出する検出器と、
検出器で検出されたＮＭＲ信号を受信する受信器と、
電力増幅器から高周波パルスが出力される時間帯には、電力増幅器と検出器との間を接続し、検出器と受信器との間、および電力増幅器と受信器との間を遮断すると共に、試料からＮＭＲ信号が放出される時間帯には、検出器と受信器との間を接続し、電力増幅器と検出器との間、および電力増幅器と受信器との間を遮断する送受信切替器と、
検出器において検出されたＮＭＲ信号を、送受信切替器を介して受け取り、増幅して後段の受信器に送る前置増幅器と、
前置増幅器の前段または前置増幅器の後段に設けられ、所定のタイミングで前置増幅器への入力または前置増幅器からの出力を遮断するスイッチ機構と
を備えた複数の送受信回路の中から、任意の１つの送受信回路を選んで、試料のＮＭＲ信号を観測するようにしたＮＭＲ装置において、
前記選ばれた１つの送受信回路の前置増幅器が、検出器において検出されたＮＭＲ信号を送受信切替器を介して受け取っている時間帯には、他の送受信回路のスイッチ機構を遮断の状態にするように構成したことを特徴とするＮＭＲ装置。
【発明の詳細な説明】
【０００１】
【発明の属する技術分野】
本発明は、ＮＭＲ装置に関し、より詳しくは、複数の送受信回路を並列に備えたＮＭＲ装置に関する。
【０００２】
【従来の技術】
ＮＭＲ装置は、静磁場中に置かれた試料内の所定の原子核にＲＦパルスを印加し、その所定時間後に発生するＮＭＲ信号を検出する分析装置である。図１に、ＮＭＲ装置のＲＦ系の概念図を示す。図中１は発振器である。発振器１は、観測したい所定の原子核の共鳴周波数に合わせた周波数の高周波信号を発振する。発振器１から発振された高周波信号は、波形整形器２へ送られ、連続波、あるいはパルス波形や関数波形など所定の波形に整形される。また、レベル・コントロールも同時に行なわれる。
【０００３】
波形整形器２によって整形された高周波信号は、電力増幅器３へと入力される。電力増幅器３には、後段の検出器５の種類に応じて、数十ワット出力のものから数キロワット出力のものまでが用いられる。電力増幅器３で増幅された高周波信号は、送受信切替器４を通して、静磁場内（図示せず）に置かれた検出器５へと印加される。検出器５の内部には、図示しない測定試料が置かれていて、電力増幅器３で増幅された高周波信号の磁界成分が、測定試料内の所定の原子核の歳差運動を励起する。
【０００４】
送受信切替器４は、電力増幅器３と検出器５と受信器７の３者に接続され、電力増幅器３から高周波電力が出力される時間帯には、電力増幅器３と検出器５との間を接続し、検出器５と受信器７との間、および電力増幅器３と受信器７との間を遮断すると共に、試料からＮＭＲ信号が放出される時間帯には、検出器５と受信器７との間を接続し、電力増幅器３と検出器５との間、および電力増幅器３と受信器７との間を遮断する役割を果たしている。
【０００５】
検出器５へ印加された高周波電力が途切れた後、所定の時間が経過すると、測定試料から弱いＮＭＲ信号が放射され、観測信号として検出器５によって検出される。検出器５によって検出された観測信号は、送受信切替器４を経て、前置増幅器６でいったん増幅された後、受信器７に到達する。その後、受信器７で充分に増幅された観測信号は、ＡＤ変換器８でデジタル信号化され、ホストコンピューター９でフーリエ変換などの処理を経て、ディスプレイ上にＮＭＲスペクトルとして表示される。
【０００６】
パルス発生器１０は、ホストコンピューター９で制御され、ＲＦ系全体の同期をとる役割を果たしている。例えば、発振器１から出力された連続波の高周波信号を任意のパルス幅のパルス波形に波形整形する場合、波形整形器２へ任意のパルス幅のゲート信号を送り、連続波をパルス波形に整形する。また、電力増幅器３から出力される高周波電力を検出器５に印加し、印加後、所定時間後に放射されるＮＭＲ信号を前置増幅器６側に取り出す際には、送受信切替器４の切替のタイミングを制御する。いわばＮＭＲパルス・シーケンスに応じ、ＮＭＲ分光計を制御する機能を有している。
【０００７】
このような構成のＮＭＲ装置では、受信回路は、主に前置増幅器６と受信器７とＡＤ変換器８とから構成されている。ＮＭＲスペクトルを感度良く測定するために、通常、送受信切替器４と受信器７の間には、ＮＦ（ノイズ・フィギュア）の良い前置増幅器６が設置される。前置増幅器６で十分に増幅されたＮＭＲ信号は、受信器７に送られる。受信器７では、ゲイン・コントロールが行なわれ、更に、取り扱いやすいオーディオ周波数に変換された後、図示しないオーディオ・フィルタにより不要な周波数成分を取り除かれて、ＡＤ変換器８に送られる。ＮＭＲ信号は、このＡＤ変換器８でデジタル化され、初めてコンピュータ処理が可能になる。
【０００８】
複数の送受信切替器４、前置増幅器６を有するＮＭＲ装置の場合、これらのいずれを使用するかを選択するための回路が必要となってくる。例えば、１Ｈ／１９Ｆ核専用の送受信切替器および１Ｈ／１９Ｆ核専用の前置増幅器と、多核専用の送受信切替器および多核専用の前置増幅器を備えたＮＭＲ装置の場合などが、その例である。
【０００９】
図２は、その一例を略図で示したものである。電力増幅器以前の構成とＡＤ変換器以降の構成とは、図１と同様のため、本図からは省略した。図の３ａは、１Ｈ／１９Ｆ核専用の電力増幅器、４ａは、１Ｈ／１９Ｆ核専用の送受信切替器、６ａは、１Ｈ／１９Ｆ核専用の前置増幅器である。また、図の３ｂは、多核専用の電力増幅器、４ｂは、多核専用の送受信切替器、６ｂは、多核専用の前置増幅器である。このように、２系列の送受信回路を有するＮＭＲ装置では、どちらの周波数帯域のＮＭＲ信号を観測するかが選べるように、前置増幅器選択回路１１が設けられている。前置増幅器選択回路１１は、測定したい核に合わせて、前置増幅器６ａ／６ｂを選択する回路である。
【００１０】
図２の場合、１Ｈ核のＮＭＲ信号を観測するのであれば、前置増幅器選択回路１１は、１Ｈ／１９Ｆ核専用の前置増幅器６ａを選択する。すると、検出器５から放射された１Ｈ核のＮＭＲ信号は、１Ｈ／１９Ｆ核専用の送受信切替器４ａを介して、１Ｈ／１９Ｆ核専用の前置増幅器６ａへと導かれ、１Ｈ／１９Ｆ核専用の前置増幅器６ａで増幅された後、前置増幅器選択回路１１を通って受信器７、ＡＤ変換器８へと導かれる。
【００１１】
例えば、図３のような、１Ｈ−｛１３Ｃ｝の１Ｈ観測異核シフト相関測定（ＨＭＱＣ）の一般的なパルスシーケンスの場合、観測する１Ｈ核に観測パルス（ＰＷ１）を印加し、また、１３Ｃ核をデカップリングするため、レベル・コントロールされた連続波を照射する。観測パルス印加後、検出器から放射される１Ｈ核信号のデータ取り込み（ＡＣＱＴＭ）を行なう。尚、このデータ取り込みの際に、１３Ｃ核をデカップリングするための高周波照射を行なっている。
【００１２】
【発明が解決しようとする課題】
ところが、図３に示す例のように、１Ｈ核のＮＭＲ信号取り込み時に、１３Ｃ核をデカップリング（照射）すると、照射電力に起因した不要信号が前置増幅器選択回路１１に漏れ込み、観測信号を劣化させる場合がある。図２を用いて説明すると、１３Ｃ核に照射する高周波は、多核専用電力増幅器３ｂにより増幅され、送受信切替器４ｂによって、検出器５へと導かれる。その際、理想的には、送受信切替器４ｂの送信ポートと受信ポートのアイソレーションが無限大の大きさであることが望ましい。しかしながら、現実の送受信切替回路の多くは、半導体部品、もしくは機械式リレー等で構成されていて、送信ポートと受信ポートのアイソレーションは有限値である。
【００１３】
例えば、多核専用送受信切替器４ｂの送信ポート−受信ポート間のアイソレーションが−５０ｄＢであったと仮定する。また、多核専用前置増幅器６ｂの増幅度が４０ｄＢで、１ｄＢ　Ｃｏｍｐｒｅｓｓｉｏｎ　が２０ｄＢｍであると仮定する。１３Ｃ核の照射電力が５Ｗだった場合、受信ポートへの漏れ込みは、
１０×ｌｏｇ（５×１０００）−５０　＝　−１３．０１ｄＢｍ
となる。受信ポートへ漏れ込んだ上記レベルの信号は、多核専用前置増幅器６ｂで十分に増幅され得る。例えば、多核専用前置増幅器６ｂの増幅度が４０ｄＢであった場合、
−１３．０１ｄＢｍ　＋　４０ｄＢ　＝　２６．９９ｄＢｍ
となる。実際には、多核専用前置増幅器６ｂの出力能力は有限であるため、ある一定の入力レベル以上で飽和してしまう。そして、飽和することにより、当然のことながら、高調波を生み出す。これら高調波を含めた周波数成分は、多核専用前置増幅器６ｂを経て、前置増幅器選択回路へと導かれる。このとき、図３では、観測核は１Ｈ核であるので、前置増幅器選択回路１１は、１Ｈ／１９Ｆ核専用前置増幅器６ａを選択している。
【００１４】
ところで、従来、前置増幅器には、常時、増幅が可能なように、使用されている能動素子（トランジスタ、ＦＥＴ、ＭＭＩＣなど）には、バイアス電圧が印加されている。そのため、照射しているチャンネルの送受信切替器（図３の場合は、多核専用送受信切替器４ｂ）の送信ポート側から受信ポート側に漏れ込んだ不要信号は、照射チャンネルの前置増幅器（図３の場合は、多核専用前置増幅器６ｂ）で増幅される。前置増幅器は、微弱なＮＭＲ信号を増幅するため増幅度が高く、送受信切替器から漏れ込んだ不要信号は、前置増幅器で大きく増幅され、前置増幅器選択回路１１へと到達してしまう。
【００１５】
前置増幅器選択回路１１は、半導体部品、もしくは機械式リレー等で構成されており、測定核に応じて、前置増幅器を選択する回路だが、例えば、１Ｈ／１９Ｆ核専用前置増幅器と多核専用前置増幅器との間のアイソレーションは有限であるため、時によっては、照射チャンネルの前置増幅器で増幅された不要信号が、測定核の観測信号に混入して、ＮＭＲ信号の純度を劣化させていた。
【００１６】
本発明は、上述した点に鑑み、照射チャンネル側の不要信号が、観測チャンネル側のＮＭＲ信号に混入してＮＭＲ信号の純度を劣化させるのを、未然に防止することができるＮＭＲ装置を提供することにある。
【００１７】
【課題を解決するための手段】
この目的を達成するため、本発明にかかるＮＭＲ装置は、
高周波パルスを出力する電力増幅器と、
電力増幅器のパルス出力を受けて試料に高周波磁界パルスを印加すると共に、試料から放射されるＮＭＲ信号を検出する検出器と、
検出器で検出されたＮＭＲ信号を受信する受信器と、
電力増幅器から高周波パルスが出力される時間帯には、電力増幅器と検出器との間を接続し、検出器と受信器との間、および電力増幅器と受信器との間を遮断すると共に、試料からＮＭＲ信号が放出される時間帯には、検出器と受信器との間を接続し、電力増幅器と検出器との間、および電力増幅器と受信器との間を遮断する送受信切替器と、
検出器において検出されたＮＭＲ信号を、送受信切替器を介して受け取り、増幅して後段の受信器に送る前置増幅器と
を備えた複数の送受信回路の中から、任意の１つの送受信回路を選んで、試料のＮＭＲ信号を観測するようにしたＮＭＲ装置において、
前記選ばれた１つの送受信回路の前置増幅器が、検出器において検出されたＮＭＲ信号を送受信切替器を介して受け取っている時間帯には、他の送受信回路の前置増幅器のバイアス電圧または電源電圧を低く設定し、前置増幅器をブランキング状態または停止状態にするように構成したことを特徴としている。
【００１８】
また、高周波パルスを出力する電力増幅器と、
電力増幅器のパルス出力を受けて試料に高周波磁界パルスを印加すると共に、試料から放射されるＮＭＲ信号を検出する検出器と、
検出器で検出されたＮＭＲ信号を受信する受信器と、
電力増幅器から高周波パルスが出力される時間帯には、電力増幅器と検出器との間を接続し、検出器と受信器との間、および電力増幅器と受信器との間を遮断すると共に、試料からＮＭＲ信号が放出される時間帯には、検出器と受信器との間を接続し、電力増幅器と検出器との間、および電力増幅器と受信器との間を遮断する送受信切替器と、
検出器において検出されたＮＭＲ信号を、送受信切替器を介して受け取り、増幅して後段の受信器に送る前置増幅器と、
前置増幅器の前段または前置増幅器の後段に設けられ、所定のタイミングで前置増幅器への入力または前置増幅器からの出力を遮断するスイッチ機構と
を備えた複数の送受信回路の中から、任意の１つの送受信回路を選んで、試料のＮＭＲ信号を観測するようにしたＮＭＲ装置において、
前記選ばれた１つの送受信回路の前置増幅器が、検出器において検出されたＮＭＲ信号を送受信切替器を介して受け取っている時間帯には、他の送受信回路のスイッチ機構を遮断の状態にするように構成したことを特徴としている。
【００１９】
【発明の実施の形態】
以下、図面を参照して、本発明の実施の形態を説明する。図４は、本発明にかかるＮＭＲ装置の一実施例である。図４において、図２と同一部分には同一符号を付している。また、電力増幅器以前の構成とＡＤ変換器以降の構成とは、図１と同様のため、本図からは省略した。図の３ａは、１Ｈ／１９Ｆ核専用の電力増幅器、４ａは、１Ｈ／１９Ｆ核専用の送受信切替器、６ａは、１Ｈ／１９Ｆ核専用の前置増幅器である。また、図の３ｂは、多核専用の電力増幅器、４ｂは、多核専用の送受信切替器、６ｂは、多核専用の前置増幅器である。このように、２系列の送受信回路を有するＮＭＲ装置では、どちらの周波数帯域のＮＭＲ信号を観測するかが選べるように、前置増幅器選択回路１１が設けられている。前置増幅器選択回路１１は、測定したい核に合わせて、前置増幅器６ａ／６ｂを選択する回路である。
【００２０】
また、本発明では、更に、前置増幅器６ａ、６ｂのバイアス電圧を別々に制御できるバイアス制御回路１２が設けられている。
【００２１】
図４の場合、１Ｈ核のＮＭＲ信号を観測するのであれば、前置増幅器選択回路１１は、１Ｈ／１９Ｆ核専用の前置増幅器６ａを選択する。すると、検出器５から放射された１Ｈ核のＮＭＲ信号は、１Ｈ／１９Ｆ核専用の送受信切替器４ａを介して、１Ｈ／１９Ｆ核専用の前置増幅器６ａへと導かれ、１Ｈ／１９Ｆ核専用の前置増幅器６ａで増幅された後、前置増幅器選択回路１１を通って受信器７、ＡＤ変換器８へと導かれる。
【００２２】
例えば、図３のような、１Ｈ−｛１３Ｃ｝の１Ｈ観測異核シフト相関測定（ＨＭＱＣ）の一般的なパルスシーケンスの場合、観測する１Ｈ核に観測パルス（ＰＷ１）を印加し、また、１３Ｃ核をデカップリングするため、レベル・コントロールされた連続波を照射する。観測パルス印加後、検出器から放射される１Ｈ核信号のデータ取り込み（ＡＣＱＴＭ）を行なう。尚、このデータ取り込みの際に、１３Ｃ核をデカップリングするための照射を行なっている。
【００２３】
このとき、バイアス制御回路１２は、１Ｈ核から放射されるＮＭＲ信号を増幅できるようにするために、１Ｈ／１９Ｆ核専用の前置増幅器６ａに所定のバイアス電圧を供給する。一方、１３Ｃ核をデカップリングするための照射電力に起因した不要信号は、多核専用送受信切替器の送信ポート−受信ポート間の持つアイソレーション分だけ差し引かれた量が、受信ポート側に漏れ込んでくる。この漏れ込んだ不要信号は、多核専用前置増幅器６ｂに導かれる。
【００２４】
ところが、多核専用前置増幅器６ｂは、バイアス制御回路１２により、バイアス電圧が供給されないように制御されているため、ブランキング状態となっており、漏れ込んだ不要信号を増幅することがない。その結果、前置増幅器選択回路１１が持っているアイソレーション量だけで、多核専用前置増幅器６ｂ側の不要信号が１Ｈ／１９Ｆ核専用の前置増幅器６ａ側のＮＭＲ信号に混入するのを、十分に防ぐことが可能になる。
【００２５】
このように、観測チャンネル側の前置増幅器のバイアス電圧と、照射チャンネル側の前置増幅器のバイアス電圧とを、別々にバイアス制御回路１２で制御するようにしたので、照射チャンネルから観測チャンネルへの不要信号の漏れ込みを、ほぼ完全になくすことができるようになった。
【００２６】
尚、本実施例では、照射チャンネル側の前置増幅器のバイアス電圧を低く設定することで、該前置増幅器をブランキング状態に制御したが、バイアス制御ではなく、前置増幅器全体の電源電圧をオフにしても良い。
【００２７】
また、本実施例では、前置増幅器が２個の場合を示したが、２個以上の複数個の場合でも、同じ事が言える。また、本実施例では、具体例として、１Ｈ−｛１３Ｃ｝の１Ｈ観測異核シフト相関測定（ＨＭＱＣ）の場合を挙げたが、測定方法や核種を問わないことは言うまでもない。
【００２８】
次に、図５は、本発明にかかるＮＭＲ装置の別の実施例である。図５において、図２と同一部分には同一符号を付している。また、電力増幅器以前の構成とＡＤ変換器以降の構成とは、図１と同様のため、本図からは省略した。図の３ａは、１Ｈ／１９Ｆ核専用の電力増幅器、４ａは、１Ｈ／１９Ｆ核専用の送受信切替器、６ａは、１Ｈ／１９Ｆ核専用の前置増幅器である。また、図の３ｂは、多核専用の電力増幅器、４ｂは、多核専用の送受信切替器、６ｂは、多核専用の前置増幅器である。このように、２系列の送受信回路を有するＮＭＲ装置では、どちらの周波数帯域のＮＭＲ信号を観測するかが選べるように、前置増幅器選択回路１１が設けられている。前置増幅器選択回路１１は、測定したい核に合わせて、前置増幅器６ａ／６ｂを選択する回路である。
【００２９】
また、本発明では、更に、前置増幅器６ａの前段に、送受信切替器４ａと前置増幅器６ａとの間を切り離すためのスイッチ機構１３ａ、また、前置増幅器６ｂの前段に、送受信切替器４ｂと前置増幅器６ｂとの間を切り離すためのスイッチ機構１３ｂが設けられている。
【００３０】
図５の場合、１Ｈ核のＮＭＲ信号を観測するのであれば、前置増幅器選択回路１１は、１Ｈ／１９Ｆ核専用の前置増幅器６ａを選択する。すると、検出器５から放射された１Ｈ核のＮＭＲ信号は、１Ｈ／１９Ｆ核専用の送受信切替器４ａを介して、１Ｈ／１９Ｆ核専用の前置増幅器６ａへと導かれ、１Ｈ／１９Ｆ核専用の前置増幅器６ａで増幅された後、前置増幅器選択回路１１を通って受信器７、ＡＤ変換器８へと導かれる。
【００３１】
例えば、図３のような、１Ｈ−｛１３Ｃ｝の１Ｈ観測異核シフト相関測定（ＨＭＱＣ）の一般的なパルスシーケンスの場合、観測する１Ｈ核に観測パルス（ＰＷ１）を印加し、また、１３Ｃ核をデカップリングするため、レベル・コントロールされた連続波を照射する。観測パルス印加後、検出器から放射される１Ｈ核信号のデータ取り込み（ＡＣＱＴＭ）を行なう。尚、このデータ取り込みの際に、１３Ｃ核をデカップリングするための照射を行なっている。
【００３２】
このとき、スイッチ機構１３ａは、１Ｈ核から放射されるＮＭＲ信号を増幅できるようにするために、１Ｈ／１９Ｆ核専用の送受信切替器４ａと１Ｈ／１９Ｆ核専用の前置増幅器６ａとの間を導通状態に制御する。一方、１３Ｃ核をデカップリングするための照射電力に起因した不要信号は、多核専用送受信切替器の送信ポート−受信ポート間の持つアイソレーション分だけ差し引かれた量が、受信ポート側に漏れ込んでくる。ところが、この漏れ込んだ不要信号が、多核専用前置増幅器６ｂに導かれないようにするために、スイッチ機構１３ｂは、多核専用送受信切替器４ｂと多核専用前置増幅器６ｂとの間を遮断状態に制御する。多核専用送受信切替器４ｂと多核専用前置増幅器６ｂとの間が遮断状態に制御されるため、多核専用送受信切替器の受信ポート側に漏れ込んだ不要信号が、多核専用前置増幅器６ｂで増幅されることがない。その結果、前置増幅器選択回路１１が持っているアイソレーション量だけで、多核専用前置増幅器６ｂ側の不要信号が１Ｈ／１９Ｆ核専用の前置増幅器６ａ側のＮＭＲ信号に混入するのを、十分に防ぐことが可能になる。
【００３３】
このように、スイッチ機構１３ａを用いて、観測チャンネル側の送受信切替器と前置増幅器との間を導通状態に制御すると共に、スイッチ機構１３ｂを用いて、照射チャンネル側の送受信切替器と前置増幅器との間を遮断状態に制御するようにしたので、照射チャンネルから観測チャンネルへの不要信号の漏れ込みを、ほぼ完全になくすことができるようになった。このスイッチ機構１３ａ、１３ｂは、半導体部品による回路であっても、機械式のリレーであっても良い。
【００３４】
尚、本実施例には、さまざまな変形例が可能なので、次にそれを述べる。図６の（ａ）〜（ｄ）は、照射チャンネル側の前置増幅器６ｂの後段、すなわち、前置増幅器６ｂと前置増幅器選択回路１１との間に、スイッチ機構または所定の周波数を排除するフィルタ機構を設けた例を示している。これらの例では、照射チャンネルで照射を行なっている時間帯には、スイッチ機構を５０Ω終端端子に接続するか、またはフィルタ機構を介して前置増幅器６ｂと前置増幅器選択回路１１との間を接続することにより、前置増幅器６ｂから漏れ出る不要信号が、前置増幅器選択回路１１には伝わらないように構成している。これらの方法を採用すれば、前置増幅器６ｂの入力側（前段側）において観測チャンネル側への不要信号の漏れ込みを遮断することができるばかりでなく、前置増幅器６ｂの出力側（後段側）においても、同様に観測チャンネル側への不要信号の漏れ込みを遮断することができることは明らかである。
【００３５】
尚、本実施例では、前置増幅器が２個の場合を示したが、２個以上の複数個の場合でも、同じ事が言える。また、本実施例では、具体例として、１Ｈ−｛１３Ｃ｝の１Ｈ観測異核シフト相関測定（ＨＭＱＣ）の場合を挙げたが、測定方法や核種を問わないことは言うまでもない。
【００３６】
【発明の効果】
以上述べたように、本発明のＮＭＲ装置によれば、複数の送受信回路の中から選ばれた１つの送受信回路の前置増幅器が、検出器において検出されたＮＭＲ信号を送受信切替器を介して受け取っている時間帯には、他の送受信回路の前置増幅器のバイアス電圧または電源電圧を低く設定し、前置増幅器をブランキング状態または停止状態にするように構成したので、照射チャンネル側の不要信号が、観測チャンネル側のＮＭＲ信号に混入してＮＭＲ信号の純度を劣化させるのを、未然に防止することができる。
【００３７】
また、複数の送受信回路の中から選ばれた１つの送受信回路の前置増幅器が、検出器において検出されたＮＭＲ信号を送受信切替器を介して受け取っている時間帯には、他の送受信回路の前置増幅器の入力側または出力側を遮断するようにしたので、照射チャンネル側の不要信号が、観測チャンネル側のＮＭＲ信号に混入してＮＭＲ信号の純度を劣化させるのを、未然に防止することができる。
【図面の簡単な説明】
【図１】従来のＮＭＲ装置の一例を示す図である。
【図２】従来のＮＭＲ装置の一例を示す図である。
【図３】ＮＭＲ測定で用いられるパルス・シーケンスの一例を示す図である。
【図４】本発明にかかるＮＭＲ装置の一実施例を示す図である。
【図５】本発明にかかるＮＭＲ装置の別の実施例を示す図である。
【図６】本発明にかかるＮＭＲ装置の別の実施例を示す図である。
【符号の説明】
１・・・発振器、２・・・波形整形器、３・・・電力増幅器、３ａ・・・電力増幅器、３ｂ・・・電力増幅器、４・・・送受信切替器、４ａ・・・送受信切替器、４ｂ・・・送受信切替器、５・・・検出器、６・・・前置増幅器、６ａ・・・前置増幅器、６ｂ・・・前置増幅器、７・・・受信器、８・・・ＡＤ変換器、９・・・ホストコンピューター、１０・・・パルス発生器、１１・・・前置増幅器選択回路、１２・・・バイアス制御回路、１３ａ・・・スイッチ機構、１３ｂ・・・スイッチ機構。
【図１】
2004028720.tif 000003
【図２】
2004028720.tif 000004
【図３】
2004028720.tif 000005
【図４】
2004028720.tif 000006
【図５】
2004028720.tif 000007
【図６】
2004028720.tif 000008